【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
配列番号２のアミノ酸27-309と少なくとも80％同一のポリペプチドであって、Nogoレセプター仲介神経突起成長阻害を阻害する該ポリペプチドをコードする核酸を含む、単離ポリヌクレオチド。
【請求項２】
ポリペプチドが、配列番号２のアミノ酸27-309と少なくとも90%同一である、請求項１のポリヌクレオチド。
【請求項３】
ポリペプチドが、1-20の保存アミノ酸置換を除いては、配列番号２のアミノ酸27-309を含む、請求項２のポリヌクレオチド。
【請求項４】
ポリペプチドが、配列番号２のアミノ酸27-309と少なくとも95%同一である、請求項２のポリヌクレオチド。
【請求項５】
ポリペプチドが、配列番号２のアミノ酸27-309を含む、請求項４のポリヌクレオチド。
【請求項６】
配列番号２のアミノ酸1-445の少なくとも35の連続アミノ酸からなるポリペプチドフラグメントであって、Nogoレセプター仲介神経突起成長阻害を阻害する該ポリペプチドフラグメントをコードする核酸フラグメントを含む、単離ポリヌクレオチド。
【請求項７】
ポリペプチドが、本質的に配列番号２のアミノ酸27-445のみからなる、請求項６のポリヌクレオチド。
【請求項８】
ポリペプチドが、本質的に配列番号２のアミノ酸27-309のみからなる、請求項６のポリヌクレオチド。
【請求項９】
ポリペプチドが、本質的に配列番号２のアミノ酸1-309のみからなる、請求項６のポリヌクレオチド。
【請求項１０】
異種性ポリペプチドに融合した配列番号２のアミノ酸27-309を有し、Nogoレセプター仲介神経突起成長阻害を阻害するポリペプチドをコードする核酸を含む単離ポリヌクレオチド。
【請求項１１】
(ａ)配列番号２のアミノ酸27-309と少なくとも80％同一であるアミノ酸配列、および(ｂ)それに融合した異種性ポリペプチドを含むポリペプチドであって、Nogoレセプター仲介神経突起成長阻害を阻害する該ポリペプチドをコードする核酸を含む単離ポリヌクレオチド。
【請求項１２】
(ａ)のアミノ酸配列が、配列番号２のアミノ酸27-309と少なくとも90％同一である、請求項１１のポリヌクレオチド。
【請求項１３】
(ａ)のアミノ酸配列が、配列番号２のアミノ酸27-309と少なくとも95％同一である、請求項１２のポリヌクレオチド。
【請求項１４】
本質的に、配列番号２のアミノ酸27-445と少なくとも80％同一であるアミノ酸配列のみからなるポリペプチドであって、Nogoレセプター仲介神経突起成長阻害を阻害する該ポリペプチドをコードする核酸フラグメントを含む、単離ポリヌクレオチド。
【請求項１５】
アミノ酸配列が、配列番号２のアミノ酸27-445と少なくとも90%同一である、請求項１４のポリヌクレオチド。
【請求項１６】
アミノ酸配列が、配列番号２のアミノ酸27-445と少なくとも95%同一である、請求項１５のポリヌクレオチド。
【請求項１７】
ポリペプチドが、本質的に配列番号２のアミノ酸27-445のみからなる、請求項１６のポリヌクレオチド。
【請求項１８】
異種性ポリペプチドに融合した配列番号２のアミノ酸27-445を有し、Nogoレセプター仲介神経突起成長阻害を阻害するポリペプチドをコードする核酸を含む単離ポリヌクレオチド。
【請求項１９】
(ａ)配列番号２のアミノ酸27-445と少なくとも80％同一であるアミノ酸配列、および(ｂ)それに融合した異種性ポリペプチドを含むポリペプチドであって、Nogoレセプター仲介神経突起成長阻害を阻害する該ポリペプチドをコードする核酸を含む単離ポリヌクレオチド。
【請求項２０】
(ａ)のアミノ酸配列が、配列番号２のアミノ酸27-445と少なくとも90％同一である、請求項１９のポリヌクレオチド。
【請求項２１】
(ａ)のアミノ酸配列が、配列番号２のアミノ酸27-445と少なくとも95％同一である、請求項２０のポリヌクレオチド。
【請求項２２】
本質的に、配列番号２のアミノ酸1-309と少なくとも80％同一であるアミノ酸配列のみからなるポリペプチドであって、Nogoレセプター仲介神経突起成長阻害を阻害する該ポリペプチドをコードする核酸フラグメントを含む、単離ポリヌクレオチド。
【請求項２３】
アミノ酸配列が、配列番号２のアミノ酸1-309と少なくとも90%同一である、請求項２２のポリヌクレオチド。
【請求項２４】
アミノ酸配列が、配列番号２のアミノ酸1-309と少なくとも95%同一である、請求項２３のポリヌクレオチド。
【請求項２５】
ポリペプチドが、本質的に配列番号２のアミノ酸1-309のみからなる、請求項２４のポリヌクレオチド。
【請求項２６】
異種性ポリペプチドに融合した配列番号２のアミノ酸1-309を有し、Nogoレセプター仲介神経突起成長阻害を阻害するポリペプチドをコードする核酸を含む単離ポリヌクレオチド。
【請求項２７】
(ａ)配列番号２のアミノ酸1-309と少なくとも80％同一であるアミノ酸配列、および(ｂ)それに融合した異種性ポリペプチドを含むポリペプチドであって、Nogoレセプター仲介神経突起成長阻害を阻害する該ポリペプチドをコードする核酸を含む単離ポリヌクレオチド。
【請求項２８】
(ａ)のアミノ酸配列が、配列番号２のアミノ酸1-309と少なくとも90％同一である、請求項２７のポリヌクレオチド。
【請求項２９】
(ａ)のアミノ酸配列が、配列番号２のアミノ酸1-309と少なくとも95％同一である、請求項２８のポリヌクレオチド。
【請求項３０】
異種性ポリペプチドが、グルタチオンＳ−トランスフェラーゼ(ＧＳＴ)である、請求項１０−１３、１８−２１、または２６−２９のうちの何れかのポリヌクレオチド。
【請求項３１】
異種性ポリペプチドが、ヒスチジンタグ(Ｈｉｓタグ)である、請求項１０−１３、１８−２１、または２６−２９のうちの何れかのポリヌクレオチド。
【請求項３２】
異種性ポリペプチドが、アルカリホスファターゼ(ＡＰ)である、請求項１０−１３、１８−２１、または２６−２９のうちの何れかのポリヌクレオチド。
【請求項３３】
請求項１−３２の何れかの核酸または核酸フラグメントに作動可能なように連結した１以上の発現制御エレメントを更に含む、請求項１−３２の何れかのポリヌクレオチド。
【請求項３４】
請求項１−３３の何れかのポリヌクレオチドを含むベクター。
【請求項３５】
請求項１−３３の何れかのポリヌクレオチドまたは請求項３４のベクターを含む宿主細胞であって、ヒトを形成することができる細胞ではない該宿主細胞。
【請求項３６】
宿主細胞が真核細胞である、請求項３５の宿主細胞。
【請求項３７】
請求項３５−３６の宿主細胞により発現されるNogoレセプターポリペプチド。
【請求項３８】
配列番号２のアミノ酸27-309と少なくとも80％同一であるアミノ酸配列を含む単離ポリペプチドであって、Nogoレセプター仲介神経突起成長阻害を阻害する該単離ポリペプチド。
【請求項３９】
アミノ酸配列が、配列番号２のアミノ酸27-309と少なくとも90%同一である、請求項３８のポリペプチド。
【請求項４０】
アミノ酸配列が、配列番号２のアミノ酸27-309と少なくとも95%同一である、請求項３９のポリペプチド。
【請求項４１】
ポリペプチドが、配列番号２のアミノ酸27-309を含む、請求項４０のポリペプチド。
【請求項４２】
1-20の保存アミノ酸置換を除いては、本質的に配列番号２のアミノ酸27-309のみからなる単離ポリペプチドであって、Nogoレセプター仲介神経突起成長阻害を阻害する該単離ポリペプチド。
【請求項４３】
配列番号２のアミノ酸1-445の少なくとも35の連続アミノ酸からなる単離ポリペプチドフラグメントであって、Nogoレセプター仲介神経突起成長阻害を阻害する該単離ポリペプチドフラグメント。
【請求項４４】
本質的に配列番号２のアミノ酸27-445のみからなる、請求項４３のポリペプチドフラグメント。
【請求項４５】
本質的に配列番号２のアミノ酸27-309のみからなる、請求項４４のポリペプチドフラグメント。
【請求項４６】
本質的に配列番号２のアミノ酸1-309のみからなる、請求項４５のポリペプチドフラグメント。
【請求項４７】
異種性ポリペプチドに融合した配列番号２のアミノ酸27-309を含む単離ポリペプチドであって、Nogoレセプター仲介神経突起成長阻害を阻害する該単離ポリペプチド。
【請求項４８】
(ａ)配列番号２のアミノ酸27-309と少なくとも80％同一であるアミノ酸配列、および(ｂ)それに融合した異種性ポリペプチドを含む単離ポリペプチドであって、Nogoレセプター仲介神経突起成長阻害を阻害する該単離ポリペプチド。
【請求項４９】
(ａ)のアミノ酸配列が、配列番号２のアミノ酸27-309と少なくとも90％同一である、請求項４８のポリペプチド。
【請求項５０】
(ａ)のアミノ酸配列が、配列番号２のアミノ酸27-309と少なくとも95％同一である、請求項４９のポリペプチド。
【請求項５１】
本質的に、配列番号２のアミノ酸27-445と少なくとも80％同一であるアミノ酸配列のみからなる単離ポリペプチドであって、Nogoレセプター仲介神経突起成長阻害を阻害する該単離ポリペプチド。
【請求項５２】
アミノ酸配列が、配列番号２のアミノ酸27-445と少なくとも90%同一である、請求項５１のポリペプチド。
【請求項５３】
アミノ酸配列が、配列番号２のアミノ酸27-445と少なくとも95%同一である、請求項５２のポリペプチド。
【請求項５４】
本質的に配列番号２のアミノ酸27-445のみからなる、請求項５３のポリペプチド。
【請求項５５】
異種性ポリペプチドに融合した配列番号２のアミノ酸27-445を含む単離ポリペプチドであって、Nogoレセプター仲介神経突起成長阻害を阻害する該単離ポリペプチド。
【請求項５６】
(ａ)配列番号２のアミノ酸27-445と少なくとも80％同一であるアミノ酸配列、および(ｂ)それに融合した異種性ポリペプチドを含む単離ポリペプチドであって、Nogoレセプター仲介神経突起成長阻害を阻害する該単離ポリペプチド。
【請求項５７】
(ａ)のアミノ酸配列が、配列番号２のアミノ酸27-445と少なくとも90％同一である、請求項５６のポリペプチド。
【請求項５８】
(ａ)のアミノ酸配列が、配列番号２のアミノ酸27-445と少なくとも95％同一である、請求項５７のポリペプチド。
【請求項５９】
本質的に、配列番号２のアミノ酸1-309と少なくとも80％同一であるアミノ酸配列のみからなる単離ポリペプチドであって、Nogoレセプター仲介神経突起成長阻害を阻害する該単離ポリペプチド。
【請求項６０】
アミノ酸配列が、配列番号２のアミノ酸1-309と少なくとも90%同一である、請求項５９のポリペプチド。
【請求項６１】
アミノ酸配列が、配列番号２のアミノ酸1-309と少なくとも95%同一である、請求項６０のポリペプチド。
【請求項６２】
本質的に配列番号２のアミノ酸1-309のみからなる、請求項６１のポリペプチド。
【請求項６３】
異種性ポリペプチドに融合した配列番号２のアミノ酸1-309を含む単離ポリペプチドであって、Nogoレセプター仲介神経突起成長阻害を阻害する該単離ポリペプチド。
【請求項６４】
(ａ)配列番号２のアミノ酸1-309と少なくとも80％同一であるアミノ酸配列、および(ｂ)それに融合した異種性ポリペプチドを含む単離ポリペプチドであって、Nogoレセプター仲介神経突起成長阻害を阻害する該単離ポリペプチド。
【請求項６５】
(ａ)のアミノ酸配列が、配列番号２のアミノ酸1-309と少なくとも90％同一である、請求項６４のポリペプチド。
【請求項６６】
(ａ)のアミノ酸配列が、配列番号２のアミノ酸1-309と少なくとも95％同一である、請求項６５のポリペプチド。
【請求項６７】
異種性ポリペプチドが、グルタチオンＳ−トランスフェラーゼ(ＧＳＴ)である、請求項４７−５０、５５−５８、または６３−６６のうちの何れかのポリペプチド。
【請求項６８】
異種性ポリペプチドが、ヒスチジンタグ(Ｈｉｓタグ)である、請求項４７−５０、５５−５８、または６３−６６のうちの何れかのポリペプチド。
【請求項６９】
異種性ポリペプチドが、アルカリホスファターゼ(ＡＰ)である、請求項４７−５０、５５−５８、または６３−６６のうちの何れかのポリペプチド。
【請求項７０】
請求項３７−４６、５１−５４、または５９−６２のうちの何れかのポリペプチドに特異的に結合する単離抗体またはその抗原結合フラグメント。
【請求項７１】
抗体またはそのフラグメントが、ポリクローナル抗体、モノクローナル抗体、ヒト化抗体、ヒト抗体、キメラ抗体、Ｆａｂフラグメント、Ｆａｂ’フラグメント、およびＦ（ａｂ’）２フラグメントからなる群から選択される、請求項７０の抗体またはそのフラグメント。
【請求項７２】
請求項１−３３の何れかのポリヌクレオチド、請求項３４のベクター、請求項３５−３６の何れかの宿主細胞、請求項３７−６９の何れかのポリペプチド、または請求項７０−７１の何れかの抗体、および医薬的に許容される担体を含む、組成物。
【請求項７３】
非経口投与、皮下投与、静脈投与、筋肉内投与、腹腔内投与、経皮的投与、口内投与、経口投与および微量注入投与からなる群から選択される経路による投与用に製剤される、請求項７２の組成物。
【請求項７４】
更に担体を含む、請求項７３の組成物。
【請求項７５】
ニューロンと、請求項３７−６９の何れかのポリペプチド、請求項７０−７１の何れかの抗体、または請求項７２−７４の何れかの組成物とを接触させることを含む、神経突起成長を促進するインビトロの方法。
【請求項７６】
ニューロンと、請求項３７−６９の何れかのポリペプチド、請求項７０−７１の何れかの抗体、または請求項７２−７４の何れかの組成物とを接触させることを含む、軸索再生を促進するインビトロの方法。
【請求項７７】
ニューロンは哺乳類から得る、請求項７５−７６の方法。
【請求項７８】
哺乳類がヒトである、請求項７７の方法。
【請求項７９】
神経突起成長を促進するための医薬の調製のための、請求項１−３３の何れかのポリヌクレオチド、請求項３７−６９の何れかのポリペプチド、請求項７０−７１の何れかの抗体、または請求項７２−７４の何れかの組成物。
【請求項８０】
軸索再生を促進するための医薬の調製のための、請求項１−３３の何れかのポリヌクレオチド、請求項３７−６９の何れかのポリペプチド、請求項７０−７１の何れかの抗体、または請求項７２−７４の何れかの組成物。
【請求項８１】
哺乳類における、中枢神経系(ＣＮＳ)疾患、異常、または創傷の治療のための医薬であって、NgR仲介神経突起成長阻害を阻害するかまたは軸索再生を促進する該医薬の調製のための、請求項１−３３の何れかのポリヌクレオチド、請求項３７−６９の何れかのポリペプチド、請求項７０−７１の何れかの抗体、または請求項７２−７４の何れかの組成物。
【請求項８２】
ＣＮＳ疾患、異常、または創傷が、頭または大脳の外傷、脊髄創傷、脳卒中、または脱髄疾患からなる群から選択される、請求項８１のポリヌクレオチド、ポリペプチド、抗体、または組成物。
【請求項８３】
脱髄疾患が、多発性硬化症、単相性脱髄、脳脊髄炎、多病巣性白質脳症、全脳炎、マルキアファーヴァ−ビニャーミ病、橋角部ミエリン溶解、副腎脳白質ジストロフィー、ペリツェーウス−メルツバッヒャー病、海綿状変性、アレグザンダー病、キャナヴァン病、異染色性白質萎縮およびクラッベ病からなる群から選択される、請求項８２のポリヌクレオチド、ポリペプチド、抗体、または組成物。